(57)【要約】      （修正有）【課題】市販の付箋束をそのまま収容できる付箋専用のケースであり、なおかつ、ファッション性や高級感も有する付箋ケースを提供する。【解決手段】蓋２０と箱本体１０からなり、箱本体１０は短冊状の付箋束を収納する第１収納部１５と、前記短冊状の付箋束を複数束収納できる第２収納部１６を有し、第１収納部１５と第２収納部１６は、仕切壁１７で仕切られている。第１および第２収納部の一端の側壁に、抉り１４が設けてあり、蓋２０に蒔絵が施されている。【選択図】図１
0003202048.tif 000002
【実用新案登録請求の範囲】
【請求項１】
蓋と箱本体からなり、
前記箱本体は短冊状の付箋束を収納する第１収納部と、前記短冊状の付箋束を複数束収納できる第２収納部を有し、
前記第１および第２収納部の一端の側壁に、抉りが設けてあり、
前記蓋に蒔絵が施されていることを特徴とする付箋ケース。
【考案の詳細な説明】
【技術分野】
【０００１】
本考案は、付箋束を収納し、持ち運びが可能な付箋ケースに関するものである。
【背景技術】
【０００２】
現在付箋紙といえば、短冊状の付箋紙の一方の端部に仮止め接着剤が塗布されているものが普及している。特許文献１には、永久的な接着力が得られる主接着層と、剥離可能程度に弱い接着力を有する仮止め接着層を一方の端部に隣接して設けた付箋が開示されている。
【先行技術文献】
【特許文献】
【０００３】
【特許文献１】実公昭６２−２４５３９号公報
【考案の概要】
【考案が解決しようとする課題】
【０００４】
このような付箋束は、そのまま持ち運ばれるか、筆箱に入れて持ち運ばれる場合が多い。また、サイズの異なる付箋束を予め見開きプラスチックケースなどに収納した物が販売されている。しかし、いわゆる短冊状の付箋束専用に収納するケースはなかった。
【０００５】
付箋束はそのまま鞄などに入れて持ち運ぶと、汚れたり、角がなまってきたりするという課題があった。
【０００６】
また、付箋紙の使用状況が広範囲に普及しているため、高級感を持った付箋ケースが所望されることが多くなった。
【課題を解決するための手段】
【０００７】
本考案はこのような課題に鑑みて想到されたものであり、市販の付箋束をそのまま収容できる付箋専用のケースであり、なおかつ、ファッション性や高級感も有する付箋ケースを提供するものである。
【０００８】
より具体的に本考案に係る付箋ケース１は、
蓋２０と箱本体１０からなり、
前記箱本体１０は短冊状の付箋束３０を収納する第１収納部と、前記短冊状の付箋束３０を複数束収納できる第２収納部を有し、
前記第１および第２収納部の一端の側壁に、抉り１４が設けてあり、
前記蓋２０に蒔絵が施されていることを特徴とする。
【考案の効果】
【０００９】
本考案に係る付箋ケース１は、付箋束３０を収納する箱であるので、付箋束３０を収納して付箋ケース１毎持ち運べば、中の付箋束３０が汚れたり、角が落ちたりすることを回避することができる。また、本考案に係る付箋ケース１は、箱本体１０の一端の側壁に抉り１４を設けたので、中に収納した付箋から付箋を一枚ずつ取り出しやすいという効果を奏する。また、蓋２０には、蒔絵を施すことが出来るので、非常にファッション性に優れている。
【図面の簡単な説明】
【００１０】
【図１】本考案に係る付箋ケースの概観を示す図である。
【図２】付箋ケースに付箋束を入れた状態を示す図である。
【図３】蓋に施される蒔絵の例（「煌めき」）を示す図である。
【図４】蓋に施される蒔絵の例（「波に鶴」）を示す図である。
【図５】蓋に施される蒔絵の例（「桜花」）を示す図である。
【図６】蓋に施される蒔絵の例（「龍」）を示す図である。
【図７】蓋に施される蒔絵の例（「椿」）を示す図である。
【考案を実施するための形態】
【００１１】
以下に本考案に係る付箋ケース１を図面を参照しながら説明する。なお、以下の説明は本考案の一実施形態について説明するものであり、本考案に係る付箋ケース１は、以下の実施形態に限定されるものではない。以下の実施形態は、考案の趣旨を逸脱しない範囲において、改変することができる。
【００１２】
図１に本考案に係る付箋ケース１を示す。付箋ケース１は、箱本体１０と、蓋２０で構成されている。蓋２０は箱から完全に分離できるものが好適に利用できるが、蝶番で箱本体１０と蓋２０を開閉可能に連結されていてもよい。これらの箱本体１０と蓋２０は、プラスチック、金属、木材といった材質を好適に利用することができる。
【００１３】
箱本体１０は、底板１１に対して垂直方向に左右の側壁１２ａ、１２ｂと、上側側壁１２ｃおよび下側側壁１２ｄで囲まれた構造になっている。蓋２０もこれらの壁材に対応した壁材が天板に対して垂直（下）方向に設けられている。これらを蓋右側面２０ａ、蓋左側面２０ｂ、蓋上側側面２０ｃ、蓋下側側面２０ｄとする。各側壁間の外側寸法より、蓋２０の各側面の内径寸法の方がわずかに寸法が大きいことはいうまでも無い。
【００１４】
また、底板１１の外形は、各側壁間の外側寸法より大きくてもよい。このような寸法関係にすると、各側壁より外側に底板１１と面一の縁１３が形成される。底板１１に縁１３を形成しておき、蓋２０の側面の高さを各側壁の高さより長くしておけば、蓋２０をかぶせたときに、蓋２０の内側が各側壁の先端辺１２ｔに当接することを避けることができる。
【００１５】
なお、本明細書では、後述するように抉り１４が設けられている側壁を下側側壁１２ｄと呼ぶ。この抉り１４のある側壁を下側とみて、平面視したときの方向で、左右および上側側壁１２ｃを決める。
【００１６】
第１収容部１５と第２収容部１６は、仕切壁１７によって仕切られている。したがって、第１収容部１５は、右側壁１２ａと仕切壁１７および、上側側壁１２ｃと下側側壁１２ｄによって周囲を囲まれている。また、第２収容部１６は、左側壁１２ｂと仕切壁１７および、上側側壁１２ｃと下側側壁１２ｄによって周囲を囲まれている。左右の側壁１２ａ、１２ｂと上側側壁１２ｃおよび下側側壁１２ｄは、付箋束３０（図２参照）の厚みより高く形成される。
【００１７】
第１収容部１５は、市販の短冊状の付箋束３０（２５ｍｍ×７５ｍｍ）が１束収容できる。また、第２収容部１６は、この短冊状の付箋束３０が３つ収容できる。ここで第１収容部１５は、短冊状の付箋束３０の大きさとほぼ同じ大きさに形成されている。このように、収容部を短冊状の付箋束３０とほぼぴったり一致するように形成しておく。また、第２収容部１６は、この短冊状の付箋束３０が３つ並置できる大きさに形成されている。
【００１８】
図２に箱本体１０に付箋束３０を収納した状態を示す。付箋束３０は、付箋ケース１内にほぼ隙間無く収納されている。このような状態で付箋ケース１内に収納された付箋束３０は、持ち運びの際の振動によって周囲の壁材との衝突によって受けるダメージを小さくすることができる。
【００１９】
さらに箱本体１０は、塗りによる最終加工がされているのが望ましい。塗りの加工が施されていることで、箱本体１０の底板１１と側壁の内側表面は、非常に滑らかに形成される。そのため、付箋束３０がこの中に入れられたまま、振動などを受けても、付箋束３０に傷や汚れがつきにくい。
【００２０】
再び図１を参照して、箱本体１０において、下側側壁１２ｄは、抉り１４が設けられている。抉り１４とは、下側側壁１２ｄの一部を消失させた箇所である。抉り１４は、側壁の先端辺１２ｔから底板１１に至るまで壁材がない。抉り１４は、使用により付箋束３０が薄くなってきても、箱本体１０をひっくり返すことなく付箋紙を楽に取り出せるようにするのが目的である。
【００２１】
したがって、抉り１４は、通常の人の親指もしくは人差し指が通過できる程度の幅を設ける必要がある。利用者は、付箋ケース１から付箋を１枚取り出す際に、下側側壁１２ｄの抉り１４に寄って、収容した付箋を直接触れることができるので、付箋ケース１をひっくり返さなくても、楽に付箋紙を１枚取り出すことができる。
【００２２】
第２収容部１６には、下側側壁１２ｄに３つの抉り１４が設けられている。これは第２収容部１６には、短冊状の付箋束３０が３つ並列に収納する場合にも、それぞれの付箋束３０から１枚ずつ付箋紙を引き出すことが出来るようにするためである。
【００２３】
なお、短冊状の付箋３枚分が１枚の付箋紙になっているような、付箋束３０も販売されている。このような略正方形の付箋束３０を１束、第２収容部１６に収容してもよい。
【００２４】
蓋２０は、天面２２と、天面２２に垂直な側面（蓋右側面２０ａ、蓋左側面２０ｂ、蓋上側側面２０ｃ、蓋下側側面２０ｄ）で構成されている。箱本体１０と蓋２０が別々に構成されている場合に、蓋２０と箱本体１０が当接するのは、蓋２０の天面２２の内側面である。また、上記に説明したように、箱本体１０の底板１１に縁１３が形成され、箱の側面の高さが箱本体１０の側壁より高い場合は、蓋２０の側面の下端辺２０ｔが縁１３と当接する。なお、蓋２０と箱本体１０が蝶番などで連結されていてもよい。
【００２５】
蓋２０の天面２２には、装飾が施されていてもよい。特に高級感を付与するためには、蓋２０に塗料を塗った下地処理を施し、さらに蒔絵による装飾を施すことが望ましい。この場合、塗料を塗る下地処理は、蓋２０の天面２２だけでなく、内側を含めた蓋２０全体と、箱本体１０全体にも施すことで、高級感はさらに高まる。
【００２６】
図３乃至７には、蓋２０の天面２２の蒔絵のデザインの例を示す。図３は、菱形と十字を基調とした「煌めき」である。図４は、鶴と波を基調とした「波に鶴」である。図５は、桜の花を描いた「桜花」である。図６は龍を描いた「龍」である。また、図７は、椿を描いた「椿」である。
【００２７】
これらのデザインは、好みの色に仕上げることができる。また、これら以外のデザインの蒔絵を施すこともできる。
【００２８】
なお、これらの蒔絵は、箱の天面２２だけでなく、天面２２の裏側や、箱本体１０の底板１１面に施してもよい。また、付箋ケース１の大きさは、中に収納する付箋束３０の大きさに応じて適時変更してもよい。
【００２９】
また、箱本体１０および蓋２０が、プラスチックや金属の場合は、これらのデザインを描いたシールを貼ることで、実現してもよい。
【産業上の利用可能性】
【００３０】
本考案は、装飾性の高い付箋ケースに好適に利用することができる。
【符号の説明】
【００３１】
１  付箋ケース
１０  箱本体
２０  蓋
１１  底板
１２ａ、１２ｂ  左右の側壁
１２ｃ  上側側壁
１２ｄ  下側側壁
１３  縁
１２ｔ  各側壁の先端辺
１４  抉り
１５  第１収容部
１６  第２収容部
１７  仕切壁
２２  天面
２０ａ  蓋右側面
２０ｂ  蓋左側面
２０ｃ  蓋上側側面
２０ｄ  蓋下側側面
２０ｔ  蓋２０の側面の下端辺
３０  付箋束
【図１】
0003202048.tif 000003
【図２】
0003202048.tif 000004
【図３】
0003202048.tif 000005
【図４】
0003202048.tif 000006
【図５】
0003202048.tif 000007
【図６】
0003202048.tif 000008
【図７】
0003202048.tif 000009